(57)【特許請求の範囲】
【請求項１】
ネジ軸と、
上記ネジ軸に取付部材を介して回転自在に取り付けられたアンカー部と、
上記ネジ軸に対する平行位置から、上記ネジ軸に対する直交位置に向けて上記アンカー部を付勢する付勢部材と、
上記アンカー部を上記直交位置で停止させるストッパー機構とを備え、
上記取付部材は上記ネジ軸に螺合する取付リングであって、かつ、上記アンカー部は上記直交位置において上記ネジ軸と螺合するネジ穴を有しているとともに、このネジ穴に上記ネジ軸を螺合させるときに当該ネジ軸が挿通される壁の挿通穴の内周面に係止することによって上記ネジ軸が空回りするのを防止する係止部を有していることを特徴とするボード用アンカー。
【請求項２】
請求項１において、上記係止部に嵌合穴を形成するとともに、この嵌合穴に径方向内側に向かって突出した突出部を形成し、この突出部に上記直交位置で係止するトラニオンを上記取付リングに形成することによって上記ストッパー機構を構成していることを特徴とするボード用アンカー。
【発明の詳細な説明】
【０００１】
【発明の属する技術分野】
本発明は、例えば壁やボード等に被締結物を固定するボード用アンカーに関する。
【０００２】
【従来の技術】
従来、ボード用アンカーとしては、軸部と、軸部の一端部に固着されたアンカー部と、軸部の他端部に形成されたネジ部とを備えたものがある。
【０００３】
上記構成のボード用アンカーを用いてボードを壁に固定する場合、壁の一方側において、壁に設けられた挿通穴に軸部を挿通し、アンカー部を壁の一方側に当接させる。そして、上記壁の他方側において、ボードに設けられたネジ通し穴に軸部が挿通するように、ボードを壁に密接させた後、ネジ部に螺合させたナットを締め付けて、ボードを壁に押し付けて固定する。
【０００４】
【発明が解決しようとする課題】
ところが、上記ボード用アンカーでは、ボードを壁に固定するするには、壁の両側において作業する必要がある。したがって、上記壁が中空壁である場合、中空壁では片側のみの作業しか行えず、ボードを中空壁に固定することができないという問題がある。また、上記壁の両側の作業は作業者一人では行いにくく、作業性が悪いという問題があった。また、複数の作業者によってボードの固定を行うと、作業効率が悪くなるという問題がある。
【０００５】
そこで、本発明の目的は、ボードを中空壁に固定でき、かつ、ボードの固定作業を一人で容易にできて、作業性および作業効率を向上できるボード用アンカーを提供することにある。
【０００６】
【課題を解決するための手段】
上記目的を達成するため、請求項１の発明のボード用アンカーは、ネジ軸と、上記ネジ軸に取付部材を介して回転自在に取り付けられたアンカー部と、上記ネジ軸に対する平行位置から、上記ネジ軸に対する直交位置に向けて上記アンカー部を付勢する付勢部材と、上記アンカー部を上記直交位置で停止させるストッパー機構とを備え、上記取付部材は上記ネジ軸に螺合する取付リングであって、かつ、上記アンカー部は上記直交位置において上記ネジ軸と螺合するネジ穴を有しているとともに、このネジ穴に上記ネジ軸を螺合させるときに当該ネジ軸が挿通される壁の挿通穴の内周面に係止することによって上記ネジ軸が空回りするのを防止する係止部を有していることを特徴としている。
【０００７】
上記請求項１の発明のボード用アンカーを用いて、例えば、ボードを壁に固定する場合、アンカー部を回転させて平行位置に位置させる。つまり、上記アンカー部とネジ軸を略一直線上に位置させる。そして、上記壁の一方側において、壁に設けられた例えば挿通穴に、ネジ軸と共にアンカー部を挿通する。そうすると、上記アンカー部は、壁の挿通穴を通り抜けたときに付勢部材の付勢力で平行位置から直行位置に向って回転して、ストッパー機構により直行位置で停止する。そして、上記壁の一方側において、ネジ軸を挿入方向と反対側に移動させて、アンカー部を壁の他方側に当接させた後、ボードを壁に密着させて、ボードに設けられた例えばネジ通し穴にネジ軸を挿通する。最後に、上記ネジ軸のボード側の端部にナットを螺合し、そのナットを締め付けて、ボードを壁に押し付けて固定する。
【０００８】
このように、上記アンカー部が取付部材を介して回転自在にネジ軸に取り付けられているから、アンカー部とネジ軸を略一直線上に位置させることにより、ネジ軸と共にアンカー部を壁の挿通穴に挿通できて、壁の両側において作業する必要がなくなる。したがって、上記ボードの固定作業を壁の片側のみで行え、壁が中空壁であっても、ボードを固定することができる。また、上記壁の片側のみの作業なので、ボードの固定作業を一人で容易にできて、作業性および作業効率を向上できる。
【０００９】
また、上記ストッパー機構によってアンカー部が直行位置で停止するから、壁の一方側からの操作でも壁の他方側にアンカー部を容易に当接させることができる。
【００１０】
また、上記ネジ軸に対する直行位置でアンカー部が停止した後、取付リングおよびアンカー部のネジ穴にネジ軸をねじ込む。このとき、上記ストッパー機構によってアンカー部が直行位置で停止しているから、アンカー部のネジ穴とネジ軸との位置があっていて、アンカー部のネジ穴にネジ軸を容易に螺合できる。さらに、上記ネジ軸は、取付リングに螺合しているから、ネジ軸が進退できる上に、ネジ穴に対して位置が定まって容易に螺合できるのである。
【００１１】
また、上記ネジ軸とアンカー部とは、ネジ穴によって、ネジ結合しているから結合が強固である。したがって、上記アンカー部によって、大きな固定力を得ることができる。
【００１２】
また、上記ネジ軸とアンカー部はネジ結合で連結しているから、壁に設けられた例えば挿通穴へのネジ軸の挿入長さを調節することによって、様々な厚みの壁やボードに対応できる。
【００１３】
また、上記ネジ軸とアンカー部はネジ結合で連結しているから、アンカー部からネジ軸を取り外すことができる。したがって、上記アンカー部に対して種々の長さのネジ軸を用いることによって、より様々な厚みの壁やボードに対応できる。
【００１４】
また、一実施形態のボード用アンカーは、上記ストッパー機構は、上記取付リングの平板状トラニオンと、上記アンカー部に形成されて上記トラニオンを嵌合する嵌合穴とで構成され、上記嵌合穴は、上記アンカー部を上記直行位置で停止させるように上記トラニオンを係止することを特徴としている。
【００１５】
上記実施形態のボード用アンカーによれば、上記ストッパー機構を構成するトラニオンおよび嵌合穴において、アンカー部が直行位置で停止するようにトラニオンが嵌合穴で係止されるから、ストッパー機構が確実に作動して、アンカー部を直行位置で確実に停止させることができる。
【００１６】
また、一実施形態のボード用アンカーは、上記付勢部材は、上記アンカー部の端部をバネ力でクランプした板バネであることを特徴としている。
【００１７】
上記実施形態のボード用アンカーによれば、上記付勢部材は、アンカー部の端部をバネ力でクランプした板バネであるから、アンカー部に容易に取り付けできる。
【００１８】
また、一実施形態のボード用アンカーは、上記ネジ軸にブッシュを摺動自在に外嵌していることを特徴としている。
【００１９】
上記実施形態のボード用アンカーによれば、上記ネジ軸にブッシュを摺動自在に外嵌しているから、ネジ軸が挿通される例えば挿通穴にブッシュを嵌合させることにより、ネジ軸の挿入動作が安定し、ネジ軸をアンカー部のネジ穴へスムーズに案内することができる。
【００２０】
また、上記ネジ軸がブッシュの内周面を摺動するから、ネジ軸がブッシュから抜けにくく、壁の挿入側と反対側にネジ軸が落ちるのを防止できる。
【００２１】
また、一実施形態のボード用アンカーは、上記アンカー部は、上記ネジ軸が挿通される挿通穴の内周面に係止する係止部を有していることを特徴としている。
【００２２】
上記実施形態のボード用アンカーによれば、上記アンカー部の係止部が挿通穴の内周面に係止するから、アンカー部のネジ穴にネジ軸を螺合させるときにネジ軸が空回りしない。したがって、上記ネジ軸をアンカー部のネジ穴に容易かつ確実に螺合できる。
【００２３】
【発明の実施の形態】
以下、本発明のボード用アンカーを図示の実施の形態により詳細に説明する。
【００２４】
図１は本発明の実施の一形態のボード用アンカーの正面図である。このボード用アンカーは、例えば、図７に示すように、ボード２１を壁１１に固定するために用いることができる。
【００２５】
上記ボード用アンカーは、図１に示すように、ネジ軸１と、ネジ軸１に取付部材としての取付リング８を介して回転自在に取り付けられた断面コ字形状のアンカー部２と、ネジ軸１に対する平行位置から、ネジ軸１に対する直行位置に向けてアンカー部２を付勢する付勢部材としての板バネ３と、アンカー部２を直行位置で停止させるストッパー機構４とを備えている。上記取付リング８はネジ軸１の一端部１ａに螺合している。また、上記ネジ軸１には、ブッシュとしてのリングワッシャー５を摺動自在に外嵌している。
【００２６】
また、上記アンカー部２は、ネジ軸１が挿通されるネジ部２ａを有している。上記アンカー部２のネジ部２ａには、図２に示すように、上記直行位置においてネジ軸１と螺合するネジ穴９を形成している。また、上記アンカー部２の端部２ｂには、板バネ３がバネ力でクランプされている。また、上記アンカー部２は、壁１１の挿通穴１２(図７参照)の内周面に係止する台形状の係止部６,６をフランジ部２ｃ,２ｃに有している。この係止部６,６に形成された嵌合穴７,７には、取付リング８の平板状トラニオン８ａ,８ａが嵌合している。また、上記嵌合穴７,７は、図３に示すように、径方向内側に向かって突出した突出部７ａ,７ａを有している。この突出部７ａ,７ａが、アンカー部２に対する取付リング８の回転を規制し、アンカー部２を直行位置で停止させるようにトラニオン８ａ,８ａを係止する。具体的には、上記取付リング８はアンカー部２に対して０°〜９０°の範囲内で回転する。このような取付リング８のトラニオン８ａ,８ａとアンカー部２の嵌合穴７,７とでストッパー機構４が構成されている。
【００２７】
上記構成のボード用アンカーを用いてボード２１を壁１１に固定する場合、例えば以下のようにして行われる。
【００２８】
▲１▼  まず、図４に示すように、ネジ軸１の一端部１ａに取付リング８のみを螺合させた状態で、アンカー部２を回転させて平行位置に位置させる。つまり、上記アンカー部２とネジ軸１を略一直線上に位置させる。その状態で、上記ネジ軸１と共にアンカー部２を壁１１の挿通穴１２に挿入する。
【００２９】
▲２▼  次に、図５に示すように、上記ネジ軸１をさらに押し込んで、ネジ軸１を挿通穴１２に挿通させると、アンカー部２は、壁１１の挿通穴１２を通り抜けたときに、板バネ３の付勢力によって二点鎖線で示す水平位置から実線で示す直行位置に向って矢印Ｒ方向に回転する。このアンカー部２の回転はストッパー機構４で規制され、アンカー部２はネジ軸１に対する直行位置で停止する。具体的には、上記アンカー部２が矢印Ｒ方向に回転すると、アンカー部２が取付リング８に対して９０°回転したときに、取付リング８のトラニオン８ａが嵌合穴７の突出部７ａ,７ａと係合して、アンカー部２の回転が停止する。
【００３０】
▲３▼  次に、図６に示すように、上記ネジ軸１を引き込んで、アンカー部２を壁１１に当接させる。その状態で、上記アンカー部２のネジ穴９にネジ軸１を必要量ねじ込み、ネジ軸１とアンカー部２をネジ結合させる。
【００３１】
▲４▼  引き続いて、図７に示すように、ボード２１に設けられたネジ通し穴２２とネジ軸１との位置を合わせて、壁１１にボード２１を密接させることにより、ネジ通し穴２２にネジ軸１を挿通する。最後に、上記ネジ軸１の他端部、つまりネジ軸１のボード２１側の端部１ｂにナット３１を螺合し、そのナット３１を締め付けて、ボード２１を壁に押し付けて固定する。
【００３２】
このように、上記アンカー部２が取付リング８を介して回転自在にネジ軸１に取り付けられているから、アンカー部２とネジ軸１を略一直線上に位置させることにより、ネジ軸１と共にアンカー部２を壁１１の挿通穴１２に挿通できて、壁１１の両側において作業する必要がなくなる。したがって、上記ボード２１の固定作業を壁１１の片側のみで行え、壁１１が中空壁であっても、ボード２１を固定することができる。また、上記壁１１の片側のみの作業なので、ボード２１の固定作業を一人で容易にできて、作業性および作業効率を向上できる。
【００３３】
また、上記ストッパー機構４によってアンカー部２が直行位置で停止するから、壁１１の一方側からの操作でも壁１１の他方側にアンカー部２を容易に当接させることができる。
【００３４】
また、上記ストッパー機構４によってアンカー部２が直行位置で停止しているから、アンカー部２のネジ穴９とネジ軸１との位置があっていて、ネジ穴９にネジ軸１を容易に螺合できる。さらに、上記ネジ軸１は、取付リング８に螺合しているから、ネジ軸１が進退できる上に、ネジ穴９に対して位置が定まって容易に螺合できるのである。
【００３５】
また、上記ネジ軸１とアンカー部２とは、ネジ穴９によって、ネジ結合しているから結合が強固である。したがって、上記アンカー部２によって、大きな固定力を得ることができる。
【００３６】
また、上記ネジ軸１とアンカー部２はネジ結合で連結しているから、壁１１の挿通穴１２へのネジ軸１の挿入長さを調節することによって、つまり、ネジ軸１をねじ込む量を調節することによって、様々な厚みの壁１１やボード２１に対応できる。
【００３７】
また、上記ネジ軸１とアンカー部２はネジ結合で連結しているから、アンカー部２からネジ軸１を取り外すことができる。したがって、上記アンカー部２に対して種々の長さのネジ軸１を用いることによって、より様々な厚みの壁やボードに対応できる。
【００３８】
また、上記アンカー部２が直行位置で停止するようにトラニオン８ａが嵌合穴７の突出部７ａで係止されるから、ストッパー機構４が確実に作動して、アンカー部２を直行位置で確実に停止させることができる。
【００３９】
また、上記板バネ２は、アンカー部２の端部２ｂにバネ力でクランプされているから、アンカー部２に容易に取り付けできる。
【００４０】
また、上記ネジ軸１にリングワッシャー５を摺動自在に外嵌しているから、壁１１の挿通穴１２にリングワッシャー５を嵌合させることにより、ネジ軸１の挿入動作が安定し、ネジ軸１をアンカー部２のネジ穴９へスムーズに案内することができる。
【００４１】
また、上記ネジ軸１がリングワッシャー５の内周面を摺動するから、ネジ軸１がリングワッシャー５から抜けにくく、壁１１の挿入側と反対側にネジ軸１が落ちるのを防止できる。
【００４２】
また、上記アンカー部２の係止部６,６が挿通穴１２の内周面に係止するから、アンカー部２のネジ穴９にネジ軸１をねじ込むときにネジ軸１が空回りしない。したがって、上記ネジ軸１をアンカー部２のネジ穴９に容易かつ確実に螺合できる。
【００４３】
上記実施の形態では、アンカー部２にネジ穴９を形成して、アンカー部２にネジ穴９を形成しなくてもよい。この場合は、ネジ軸１とアンカー部２とをリング部材８のみで連結することになる。
【００４４】
また、上記実施の形態では、ネジ軸１の一端部１ａを板バネ３で付勢していたが、スプリングコイルで付勢してもよい。
【００４５】
また、上記実施の形態では本発明のボード用アンカーをボード２１を壁１１に固定するために用いたが、ボード用アンカーの用途が本実施形態に限定されないのは言うまでもない。
【００４６】
【発明の効果】
以上より明らかなように、請求項１の発明のボード用アンカーによれば、アンカー部が取付部材を介して回転自在にネジ軸に取り付けられているから、ネジ軸と共にアンカー部を壁の挿通穴に挿通できて、例えばボードの固定作業を壁の片側のみで行え、壁が中空壁であっても、ボードを固定することができる。また、上記壁の片側のみの作業なので、ボードの固定作業を一人で容易にできて、作業性および作業効率を高めることができる。
【００４７】
また、ストッパー機構によってアンカー部が直行位置で停止するから、壁の一方側からの操作でも壁の他方側にアンカー部を容易に当接させることができる。
【００４８】
また、上記ストッパー機構によってアンカー部が直行位置で停止しているから、アンカー部のネジ穴とネジ軸との位置があっていて、アンカー部のネジ穴にネジ軸を容易に螺合できる。さらに、上記ネジ軸は、取付リングに螺合しているから、ネジ軸が進退できる上に、ネジ穴に対して位置が定まって容易に螺合できる。
【００４９】
また、上記ネジ軸とアンカー部とは、ネジ穴によって、ネジ結合しているから結合が強固であって、アンカー部によって、大きな固定力を得ることができる。
【００５０】
また、上記ネジ軸とアンカー部はネジ結合で連結しているから、壁に設けられた例えば挿通穴へのネジ軸の挿入長さの調節により、様々な厚みの壁やボードに対応できる。
【００５１】
また、上記ネジ軸とアンカー部はネジ結合で連結しているから、アンカー部に対して種々の長さのネジ軸を用いることによって、より様々な厚みの壁やボードに対応できる。
【図面の簡単な説明】
【図１】  図１は本発明の実施の一形態のボード用アンカーの正面図である。
【図２】  図２は上記ボード用アンカーのアンカー部を斜め下方から見た図である。
【図３】  図３は上記アンカー部の正面図である。
【図４】  図４は上記ボード用アンカーの使用方法を説明するための図である。
【図５】  図５は上記ボード用アンカーの使用方法を説明するための図である。
【図６】  図６は上記ボード用アンカーの使用方法を説明するための図である。
【図７】  図７は上記ボード用アンカーの使用方法を説明するための図である。
【符号の説明】
１  ネジ軸
２  アンカー部
３  板バネ
４  ストッパー機構
８  取付リング
９  ネジ穴
【図１】
0003734146.tif 000002
【図２】
0003734146.tif 000003
【図３】
0003734146.tif 000004
【図４】
0003734146.tif 000005
【図５】
0003734146.tif 000006
【図６】
0003734146.tif 000007
【図７】
0003734146.tif 000008